(57)【要約】      （修正有）【課題】  シャッタ羽根、絞り羽根及び駆動装置を同一基板上に組込み、小型で羽根部材の作動ムラを防止した光量調整装置を提供する。【解決手段】  中央に露光開口を有するリング形状の一対の地板Ａと押え板Ｅとで構成する基板内に、前記露光開口に配置された第１の光量調整羽根及び該第１の光量調整羽根を開閉駆動する第１の駆動手段並びに第２の光量調整羽根及び該第２の光量調整羽根を開閉駆動する第２の駆動手段とを収納し、前記第１の駆動手段及び前記第２の駆動手段は、共に磁石ロータ及び励磁コイルと、該励磁コイルに生起した磁界を上記磁石ロータの周側面に形成した磁極と対向する位置に誘導する誘磁部材とで構成し、前記基板の露光開口の内側周縁に前記第１の駆動手段の磁石ロータと励磁コイルを積層状に上下に配置する。【選択図】  図１
2006023363.tif 000002
【特許請求の範囲】
【請求項１】
中央に露光開口を有するリング形状の基板と、
上記露光開口に配置された第１の光量調整羽根と、
この第１の光量調整羽根を開閉動する第１の駆動手段と、
上記露光開口に配置された第２の光量調整羽根と、
この第２の光量調整羽根を開閉動する第２の駆動手段とを備え、
上記第１の駆動手段をリング形状に形成した磁石ロータ及び励磁コイルと、
この励磁コイルに生起した磁界を上記磁石ロータの周側面に形成した磁極と対向する位置に誘導する誘磁部材とで構成し、
第２の駆動手段を磁石ロータ及び励磁コイルと、
この励磁コイルに生起した磁界を上記磁石ロータの周側面に形成した磁極と対向する位置に誘導する誘磁部材とで構成し、
上記基板の露光開口の内側周縁に上記第１の駆動手段の磁石ロータと励磁コイルを、外側周縁の一部に上記第２の駆動手段の磁石ロータと励磁コイルをそれぞれ積層状に配置したことを特徴とする光量調整装置。
【請求項２】
中央に露光開口を有するリング形状の基板と、
上記露光開口に配置された第１の光量調整羽根と、
この第１の光量調整羽根を開閉動する第１の駆動手段と、
上記露光開口に配置された第２の光量調整羽根と、
この第２の光量調整羽根を開閉動する第２の駆動手段とを備え、
上記第１の駆動手段は、上記露光開口の内側周縁に配置されるリング形状の磁石ロータ及びこの磁石ロータと略同一径のリング形状に巻回された励磁コイルで構成し、
上記第２の駆動手段は、上記露光開口の外側周縁の一部に配置される磁石ロータ及びこの磁石ロータと略同一径のリング形状に巻回された励磁コイルで構成し、
上記第１の駆動手段と第２の駆動手段とを上記基板に一方は磁石ロータ、励磁コイルの順に、
他方は励磁コイル、磁石ロータの順にそれぞれ積層状に配置したことを特徴とする光量調整装置。
【請求項３】
前記第１の駆動手段及び／又は前記第２の駆動手段は、前記磁石ロータの周側面に異なる磁極が交互に複数形成されていると共に、
前記励磁コイルには生起した磁界をこの磁石ロータの磁極と対向する位置に誘導する誘磁部材が設けられていることを特徴とする請求項２記載の光量調整装置。
【請求項４】
前記誘磁部材は前記磁石ロータの内側周側面と対向する内側誘磁片と前記磁石ロータの外側周側面と対向する外側誘磁片とを軟磁性材で一体に形成して構成され、
この外側誘磁片は櫛歯形状に複数形成されていることを特徴とする請求項１又は３記載の光量調整装置。
【請求項５】
前記第１の光量調整羽根は前記露光開口を開閉するシャッタ羽根で構成され、
前記第２の光量調整羽根は前記露光開口の開口径を調整する絞り羽根で構成され、
前記第１の駆動手段の出力トルクは前記第２の駆動手段の出力トルクより大きく設定されていることを特徴とする請求項１乃至３記載の光量調整装置。
【請求項６】
被写体からの光を結像する結像レンズと、
この結像レンズからの光を受光する撮像手段と、
上記被写体から結像レンズに至る光路に配置され中央に露光開口を有する基板と、
上記基板の露光開口に配置された第１の光量調整羽根と、
この第１の光量調整羽根を開閉動する第１の駆動手段と、
上記基板の露光開口に配置された第２の光量調整羽根と、
この第２の光量調整羽根を開閉動する第２の駆動手段とを備え、
上記第１の駆動手段は、リング形状に形成した磁石ロータ及び励磁コイルと、
この励磁コイルに生起した磁界を上記磁石ロータの周側面に形成した磁極と対向する位置に誘導する誘磁部材とで構成し、
第２の駆動手段は、磁石ロータ及び励磁コイルと、
この励磁コイルに生起した磁界を上記磁石ロータの周側面に形成した磁極と対向する位置に誘導する誘磁部材とで構成し、
上記基板の露光開口の内側周縁に上記第１の駆動手段の磁石ロータと励磁コイルを、外側周縁の一部に上記第２の駆動手段の磁石ロータと励磁コイルをそれぞれ積層状に配置したことを特徴とする撮像装置。
【請求項７】
被写体からの光を結像する結像レンズと、
この結像レンズからの光を受光する撮像手段と、
上記被写体から結像レンズに至る光路に配置され中央に露光開口を有する基板と、
上記露光開口に配置された第１の光量調整羽根と、
この第１の光量調整羽根を開閉動する第１の駆動手段と、
上記露光開口に配置された第２の光量調整羽根と、
この第２の光量調整羽根を開閉動する第２の駆動手段とを備え、
上記第１の駆動手段は、上記露光開口の内側周縁に配置されるリング形状の磁石ロータ及びこの磁石ロータと略同一径のリング形状に巻回された励磁コイルで構成し、
上記第２の駆動手段は、上記露光開口の外側周縁の一部に配置される磁石ロータ及びこの磁石ロータと略同一径のリング形状に巻回された励磁コイルで構成し、
上記第１の駆動手段と第２の駆動手段とを上記基板に一方は磁石ロータ、励磁コイルの順に、
他方は励磁コイル、磁石ロータの順にそれぞれ積層状に配置したことを特徴とする撮像装置。
【請求項８】
前記第１の光量調整羽根は前記露光開口を開閉するシャッタ羽根で構成され、
前記第２の光量調整羽根は前記露光開口の開口径を調整する絞り羽根で構成され、
前記第１の駆動手段の出力トルクは前記第２の駆動手段の出力トルクより大きく設定されていることを特徴とする請求項６又は７記載の撮像装置。
【発明の詳細な説明】
【技術分野】
【０００１】
本発明は、デジタルカメラ、カメラ付き携帯電話等の撮像装置に組み込まれ、シャッタ羽根、絞り羽根などの撮影光量を調整する光量調整装置及びこれを備えた撮像装置に関する。
【背景技術】
【０００２】
一般に、この種の光量調整装置は複写体から像レンズに至る撮影光路に開口を有する基板（地板）を配置し、この基板にシャッタ羽根と絞り羽根をそれぞれ回動若しくは摺動可能に支持し、基板に取付けた個別の駆動モータで開閉駆動している。
【０００３】
従来このような光量調整装置は例えば特許文献１には、中央に光路開口を形成した基板にシャッタ羽根と絞り羽根を基端部をそれぞれ回動自在に軸（ピン）支持して羽根先端を光路開口に臨ませている。そして同文献１のものはシャッタ羽根を互いに反対方向に回動する２つの羽根部材で構成し、絞り羽根は開口を大口径に絞る羽根部材と小口径に絞る羽根部材を選択的に開口に臨ませるように配置してある。
【０００４】
図８に示すように、地板Ｘ１の中央に形成した露出開口Ｘ２の周囲でほぼ等間隔に、一対のシャッタ羽根Ｘ３を開閉するシャッタ駆動装置（ムービングマグネット）Ｘ４と、露出開口Ｘ２より小さい開口を備えた第１の絞り羽根Ｘ５を露出開口Ｘ２に対し適宜進退させる第１の絞り駆動装置（ムービングマグネット）Ｘ６と、露出開口Ｘ２より更に小さい開口を備えた第２の絞り羽根Ｘ７を露出開口Ｘ２に対し適宜進退させる第２の絞り駆動装置（ムービングマグネット）Ｘ８を配置した構造が開示されている。
【０００５】
しかし、この光量調整装置は、同一な複数の駆動装置Ｘ４、Ｘ６、Ｘ８を地板Ｘ１の露出開口Ｘ２の周囲に等間隔で配置する構造になっており、露出開口Ｘ２の周囲に駆動装置の直径幅に相当するスペースが必要となる。このように複数の駆動装置Ｘ４、Ｘ６、Ｘ８を地板の開口周縁に配置することは、例えば、ズームレンズの様に前後に進退するレンズ鏡筒に内蔵するような場合には、その複数の駆動装置Ｘ４、Ｘ６、Ｘ８の配置スペースを確保することが困難である。これと同時に特に高速なシャッタ速度を得るためにはシャッタ羽根Ｘ３を開閉する駆動装置Ｘ４を出力トルクの高い大きな装置として構成しなければならず、装置が大型化する原因となっていた。
【０００６】
また、特許文献２には図９に示すように、押え板Ｙ１と地板Ｙ４との間に配置された一対のシャッタ羽根Ｙ２、Ｙ３を開閉する駆動装置として、側部から駆動アームを突出するＮＳ極に二等分着磁された概略円筒形状のマグネットロータＹ５と、このロータの中空内に補助ステータＹ６を挿入し、この補助ステータＹ６が嵌合する円柱柱形状の内筒と先端部が歯形状の外側磁極３ａを形成する軟磁性材料のステータＹ８と、導電コイルＹ７とから成るシャッタ装置が開示されている。
【０００７】
そして、導電コイルＹ７によりステータＹ８及び補助ステータＹ６を磁化させその間に配置されたマグネットロータＹ５を磁気的に回転駆動するから磁気効率が特許文献１の構造に比べ高く、その磁気効率が良い分だけ駆動装置の小型化が出来るメリットを有している。更に、特許文献３には図１０に示すように、光軸方向に順次、羽根押えＺ１、羽根Ｚ２、地板Ｚ３、中空円筒形状のマグネットロータＺ４、マグネット押えＺ５、円筒形状のコイルＺ６、先端部が軸方向に延出する複数の櫛歯形状に形成された外筒を有するステータＺ７を配設した構造が開示されている。この光量調整装置は、光路が駆動装置の中心部を通過する様にリング形状を成しており、この為にズームレンズにおける円筒状のレンズ筒内に容易に内蔵することが出来る特徴がある。
【特許文献１】特開平１０−２２１７４０号公開公報
【特許文献２】特開２００２−０４９０７６号公開公報
【特許文献３】特開２００２−２７２０８２号公開公報
【発明の開示】
【発明が解決しようとする課題】
【０００８】
最近のカメラ内蔵の携帯電話のように装置の小型化が進むと上述の光量調整装置は基板が小さく、またこれに組み込む羽根も小さく形成される。ところがこの羽根を駆動する駆動装置は小型に構成すれば出力トルクが小さく高速に羽根を駆動することが出来ない。従って前掲特許文献１の構造では小型化に限界があり、前掲特許文献３の構造が装置を小径で偏平に構成することが期待できる。
【０００９】
ところが同文献にはシャッタ羽根、絞り羽根いずれか一方の羽根構造が開示されているのみである。従って同一の基板にシャッタ羽根と絞り羽根を組み込みそれぞれ個別の駆動モータを配置する場合には、特許文献３の構造では光路開口の周囲に２つのリング状マグネットを配置しなければならず物理的に不可能である。また同文献の構造はリング形状のマグネットロータの周側面にＮ／Ｓ磁極を交互に配置し、コイルに生起した磁界を誘磁鉄片などのヨークをロータ周側面に対向配置する関係で磁気的にシールドすることが難しく、マグネット及び誘磁鉄片の磁界は周囲に磁気的影響を及ぼす恐れがある。
【００１０】
そこで本発明は撮影光量を遮閉するシャッタ羽根と光量を大小調整する絞り羽根とこれ等を開閉駆動する駆動装置を同一の基板に組み込んだ光量調整装置を小型かつコンパクトに構成することをその主な課題としている。同時に本発明は複数の駆動装置を基板内に組み込んだ際磁石、コイルなどの磁界が互いに干渉して羽根部材に作動ムラを生ずることのない光量調整装置及びこれを用いた撮像装置の提供を課題としている。
【課題を解決するための手段】
【００１１】
本発明は、上記課題を達成するため次の構成を採用する。まず請求項１の発明は、中央に露光開口を有するリング形状の基板と、上記露光開口に配置された第１の光量調整羽根と、この第１の光量調整羽根を開閉動する第１の駆動手段と、上記露光開口に配置された第２の光量調整羽根と、この第２の光量調整羽根を開閉動する第２の駆動手段とを備える。上記基板は例えば円盤形状の一対の地板と押え板で上記第１第２の羽根部材を収納するように構成する。
【００１２】
そして、上記第１の駆動手段はリング形状に形成した磁石ロータ及び励磁コイルと、この励磁コイルに生起した磁界を上記磁石ロータの周側面に形成した磁極と対向する位置に誘導する誘磁部材とで構成する。また上記第２の駆動手段は、磁石ロータ及び励磁コイルと、この励磁コイルに生起した磁界を上記磁石ロータの周側面に形成した磁極と対向する位置に誘導する誘磁部材とで構成する。そこで上記基板の露光開口の内側周縁に上記第１の駆動手段の磁石ロータと励磁コイルを積層状に上下に配置する。次いでこの基板の露光開口の外側周縁の一部に上記第２の駆動手段の磁石ロータと励磁コイルを積層状に上下に配置する。尚この第１第２の磁石ロータはそれぞれ回動自在に支持する。このような構成によって同一の基板（地板）に第１第２の駆動手段が空き空間少なく配置され前述の課題を達成することが可能となる。
【００１３】
次に請求項２の発明は、中央に露光開口を有するリング形状の基板と、上記露光開口に配置された第１の光量調整羽根と、この第１の光量調整羽根を開閉動する第１の駆動手段と、上記露光開口に配置された第２の光量調整羽根と、この第２の光量調整羽根を開閉動する第２の駆動手段とを備える。そして上記第１の駆動手段は、上記露光開口の内側周縁に配置されるリング形状の磁石ロータ及びこの磁石ロータと略同一径のリング形状に巻回された励磁コイルで構成する。また、上記第２の駆動手段は、上記露光開口の外側周縁の一部に配置される磁石ロータ及びこの磁石ロータと略同一径のリング形状に巻回された励磁コイルで構成する。そこで上記第１の駆動手段と第２の駆動手段とを上記基板に一方は磁石ロータ、励磁コイルの順に、他方は励磁コイル、磁石ロータの順にそれぞれ積層状に配置する。これによって請求項１の発明と同様に装置の小型化が達成され、同時に第１、第２の磁石ロータは同一の基板状に隣接して配置されても互いに磁気的に干渉することがない。
【００１４】
尚この請求項２の構成において前記第１の駆動手段及び／又は前記第２の駆動手段は、前記磁石ロータの周側面に異なる磁極を交互に複数形成すると共に、前記励磁コイルには生起した磁界をこの磁石ロータの磁極と対向する位置に誘導する誘磁部材を設けることによって装置全体を偏平状で薄型に構成することが出来る。
【００１５】
請求項１及び請求項２の構成において、前記第１の光量調整羽根を前記露光開口を開閉するシャッタ羽根で構成し、前記第２の光量調整羽根を前記露光開口の開口径を調整する絞り羽根で構成する。そして前記第１の駆動手段の出力トルクは前記第２の駆動手段の出力トルクより大きく設定する。これによって高速回転を要するシャッタ羽根は大径に構成される第１の駆動手段の磁石ロータと励磁コイルで駆動され、逆に緩慢な動作が許容される絞り羽根を駆動する第２の駆動手段はより小型に形成することが出来、これらを取付ける基板を必要以上に大型にする必要がない。
【発明の効果】
【００１６】
本発明は露光開口に配置した第１と第２の光量調節羽根の駆動手段をリング状の磁石ロータ及び励磁コイルと励磁コイルの磁界を磁石ロータの磁極に導く磁極ヨークとで構成し、リング形状の基板の内側周縁に第１の駆動手段の磁石ロータを、外側周縁の一部に第２の駆動手段の磁石ロータを配置したので、基板に２つの駆動手段が空スペース少なく効率的に配置され装置の小型化が可能である。特に第１の光量調整羽根をシャッタ羽根で構成し、その第１の駆動手段を露光開口の周囲に回動自在に配置した磁石ロータ、及びリング状の励磁コイルで構成すれば駆動部はリング状で比較的大きく形成され羽根を高速で開閉する十分な出力トルクが確保できる。
【００１７】
一方、第２の光量調整羽根を絞り羽根で構成し、その第２の駆動手段を基板の外側周縁の一部に回動自在に配置し、その磁石ロータと励磁コイルとを小型、小径に構成して絞り羽根を小トルクで開閉しても撮影機能に及ぼす影響は少ない。従って装置をより小型、コンパクトに構成することが可能である。
【００１８】
また第１と第２の駆動手段を基板に一方は磁石ロータ、励磁コイルの順で、他方は励磁コイル、磁石ロータの順で上下積層状に配置すれば磁石ロータが互いに隣り合って磁気的に干渉することがなく、安定した駆動回転が得られる。
【発明を実施するための最良の形態】
【００１９】
以下、本発明を図示の実施の形態に基づいて詳細に説明する。
図１は本発明に係わる光量調整装置の基板及び光量調整羽根の構造を示す組立分解図、図２は基板に取付けられる第１の駆動手段、図３は第２の駆動手段の構造を示す組立分解図である。
【００２０】
カメラ装置などの光路に配置される光量調整装置ＥＵは基板と、この基板に形成した露光開口Ａ１に配置される第１の光量調整羽根Ｂ及び第２の光量調整羽根Ｄと、上記基板に取付けられ第１の光量調整羽根Ｂを開閉する第１の駆動手段ＭＵ１と第２の光量調整羽根Ｄを開閉する第２の駆動手段ＭＵ２とから構成される。
【００２１】
以下順次これを説明する。カメラ装置の鏡筒に組み込まれる基板は地板Ａと押え板Ｅとこの地板Ａに組み込む第１の光量調整羽根Ｂと第２の光量調整羽根Ｄとを仕切る中間板Ｃとを一体化して構成される。基板（以下地板Ａ、中間板Ｃ、押え板Ｅを総称する）には中央に露光開口が地板Ａに示すＡ１、中間板Ｃに示すＣ１、押え板Ｅに示すＥ１がそれぞれ同一径の穴で形成してある。地板Ａは合成樹脂のモールド成形で後述する駆動装置を取付けるなど装置のベースフレームとしての強度に構成してある。この地板Ａは図示のような中央に露光開口Ａ１を設けた偏平なリング形状に形成され、その偏平面には羽根を支持する案内面Ａ１１と羽根を回動自在に支持する支軸Ａ４が樹脂のモールド成形で一体に形成してある。
【００２２】
この案内面Ａ１１及び支軸Ａ４はこれに保持する第１の光量調節羽根Ｂが３枚の羽根で構成されている関係でそれぞれ３個所に形成されている。各支軸Ａ４の近傍に形成されているスリット孔Ａ３は羽根と駆動手段との間の伝動ピン（後述）が嵌合する逃げ溝である。この地板Ａにはフランジ部Ａ２及びこれと連続するフランジＡ５が外周側縁に樹脂の一体成形で形成してあり、フランジ部Ａ２は略円筒形状に、フランジＡ５はこのフランジから一部膨出した形状に構成されている。そして地板Ａには羽根の案内面Ａ１１の背面側（図１下側）に第１と第２の駆動手段が組み込まれる。
【００２３】
次に第１の光量調節羽根Ｂはシャッタを構成し、以下シャッタ羽根と云うが図示のものは３枚の羽根部材Ｂ３で構成してある。この３枚の羽根部材Ｂ３はそれぞれ基端部に形成した孔Ｂ１を地板Ａの支軸Ａ４に嵌合して支持され案内面Ａ１１に沿って回動自在に支持されている。各羽根部材Ｂ３はそれぞれ隣接する縁部が上下に重なり合って先端部が露光開口Ａ１に臨むように配置され、露光開口Ａ１を全開にしたオープン位置と露光開口Ａ１を全閉にしたクローズ位置との間で回動自在に支持されている。図示Ｂ２は各羽根部材Ｂ３に設けられた長孔で後述する第１の駆動手段の伝動ピンが係合する。
【００２４】
地板Ａにシャッタ羽根Ｂを組み込んだ後、中間板Ｃが取付けられる。図示Ａ１０は地板Ａに形成したビス穴であり、図示Ｃ４、Ｃ５は中間板Ｃに形成したビス穴で後述する押え板Ｅと中間板Ｃとはビスで地板Ａに取付けられる。中間板Ｃは金属或いは樹脂の薄板で形成されシャッタ羽根Ｂと後述する絞り羽根Ｄとが互いに干渉しないように仕切板として設けられている。この中間板Ｃにも露光開口Ｃ１が形成してあり、この露光開口Ｃ１に臨む第２の光量調整羽根Ｄが次のように取付けられる。図示の第２の光量調整羽根Ｄは絞り羽根を構成し（以下絞り羽根と云う）、露光開口Ａ１（Ｃ１）の口径を大小に調節する為、１枚若しくは数枚の組合せで開口Ａ１に配置される。
【００２５】
図示のものは１枚の羽根で露光開口Ａ１より小さい絞り開口Ｄ１を有する偏平板材（金属板或いは樹脂フィルム材）で基端部には地板Ａに形成（植設）した支持ピンＡ９と係合する係合孔Ｄ３が設けてある。この絞り羽根Ｄは中間板Ｃ上に露光開口Ｃ１に進入した絞り位置と開口Ｃ１から退避した退避位置との間で移動可能に支持され、地板Ａの支持ピンＡ９に係合孔Ｄ３が支持される。尚中間板Ｃには支持ピンＡ９が貫通する逃げ穴Ｃ３が形成してある。このように絞り羽根Ｄを中間板Ｃに支持することなく地板Ａに支持ピンＡ９を介して支持したのは中間板Ｃを金属或いは合成樹脂の薄板で軟弱に構成することによって軽量かつ加工を容易にすることが可能である。絞り羽根Ｄには後述する第２の駆動手段の伝動レバーと係合するスリットＤ２と、シャッタ羽根Ｂの枚数に応じた伝動ピンＦ１先端の逃げ穴Ｄ４が形成してある。
【００２６】
以上、地板Ａ、シャッタ羽根Ｂ、中間板Ｃ、絞り羽根Ｄの順に積み重ねられて組み込まれるが、地板Ａと対向する押え板Ｅが絞り羽根Ｄの上に取付けられている。押え板Ｅは金属、樹脂などの薄板で形成され、露光開口Ｅ１と地板Ａの支軸Ａ４の逃げ穴Ｅ２、支持ピンＡ９の逃げ穴Ｅ３と後述する第２の伝動手段の伝動レバーの逃げ穴Ｅ４がそれぞれ設けられている。そして押え板Ｅは周縁の適宜個所（図示のものは３個所）に係止爪Ｅ５が設けてあり、この係止爪Ｅ５が地板Ａのフランジ部Ａ２に形成した係止孔（図示せず）に嵌合する。この嵌合は係止爪Ｅ５の弾性によって着脱可能に結合される。
【００２７】
また押え板Ｅには周縁部に数個所図示のものは２個所に折曲片Ｅ６が形成してありこの折曲片Ｅ６は地板Ａの側壁（フランジ部Ａ２）に形成した突起Ａ８と嵌合する。この折曲片Ｅ６と地板Ａの突起Ａ８の嵌合と地板Ａと押え板Ｅとは位置決めと同時に堅牢に固定され、更にビス穴Ｅ７及びビス穴Ｃ４、Ａ１０で押え板Ｅ、中間板Ｃ、地板Ａは一体に固定される。従ってシャッタ羽根Ｂと絞り羽根Ｄとは地板Ａと押え板Ｅとの間にそれぞれ回動自在に支持され、羽根相互は中間板Ｃによって干渉しないように区切られることとなる。
【００２８】
次に第１及び第２の光量調整羽根Ｂ、Ｄを開閉駆動する駆動手段について説明する。前記地板Ａにはシャッタ羽根Ｂを組み込んだ面の背面（図１下側）に第１、第２の駆動手段ＭＵ１、ＭＵ２が取付けられ、第１の駆動手段ＭＵ１は第１の光量調整羽根（シャッタ羽根Ｂ）を、第２の駆動手段ＭＵ２は第２の光量調整羽根（絞り羽根Ｄ）を開閉駆動する。第１の駆動手段ＭＵ１は中央に空間を有する偏平リング状のロータ組とステータ組で構成される。ロータ組は図２のようにリング状に形成したマグネットＧと伝動ピンＦ１を備えた駆動リングＦを一体化して構成され、ステータ組はリング状に形成されたコイルボビンＨとこれに巻回されたコイルＩと、後述する誘磁片Ｊ４を備えたヨークＪを一体化して構成される。
【００２９】
このロータ組及びステータ組はいずれも中央に中空部を有するリング形状に形成され、中空部は地板Ａの露光開口Ａ１より大きい径になっている。そこで駆動リングＦは樹脂成形などでシャッタ羽根ＢのスリットＢ２に係合する伝動ピンＦ１が羽根枚数に応じて一体形成してある。一方リング状のマグネットＧは例えばプラスチックマグネットを用い、駆動リングＦと嵌合して一体化する。図示のものはＮａ−Ｆｅ−Ｂ系希土類の磁性粉とポリアミドなどの熱可塑性樹脂のバインダーとを混合して型で射出成形する。このようにプラスチックマグネットを用いたのはリング形状の加工が容易な為であり、熱結加工で形成しても良い。
【００３０】
そしてこのリング状の磁石は外周側面にＮ−Ｓ極が交互に複数着磁してあり、図示のものは外周を１６等分してＮ極とＳ極とが形成されている。この着磁したリング状のマグネットＧは駆動リングＦと嵌合され接着剤で一体化される。このように両者を個別に形成して一体化したのは加工を容易にする為であり、プラスチック材料で両者を一体成形することも可能である。
【００３１】
次にステータ組はリング形状のコイルボビンＨと、これに巻回するコイルＩとヨークＪで構成される。ボビンＨは磁石ロータ（Ｆ及びＧ）と略同一外径に形成され周囲にはコイルを巻回するフランジＨ１とコイルＩの口出線の端子ピンＨ３を有する端子部Ｈ４が一体に形成されている。このボビンＨは樹脂モールド成形で形成され、その端面には磁石ロータを回動自在に支持する支持面Ｈ２が形成してある。これはリング状の磁石ロータを地板ＡとコイルボビンＨとの間で回動自在に支持する為であり、その支持構造は後述する。励磁コイルＩは上記ボビンＨのフランジＨ１に周方向にリング状に巻回され、その巻数は線種と出力トルクとから設定する。この励磁コイルＩは後述する第２の駆動手段Ｍ２の励磁コイルＭより大きい出力トルクが得られるように巻線が構成されている。
【００３２】
このコイルＩとボビンＨとはコイルを巻回することによって両者は一体化され、ヨークＪ内に収容されてステータ組を構成する。ヨークＪは断コ字状の内筒Ｊ２と外筒Ｊ１と底部Ｊ３とを有する筒状体で構成される。そして底部Ｊ３に収容したコイルＩに生起した磁界が外筒Ｊ１と内筒Ｊ２に伝播されるよう軟磁性材で構成され外筒Ｊ１は磁石ロータの外側周側面と対向する外側誘磁片Ｊ４を構成し、内筒Ｊ２は磁石ロータの内側周側面と対向する内側誘磁片Ｊ５を形成する。
【００３３】
この内側誘磁片Ｊ５と外側誘磁片Ｊ４とはコイルＩに生起した磁界をリング状マグネットの磁極と対向する位置に誘導し、磁石ロータに回転力を付与する。従って磁石ロータＦ及びＧ（以下Ｇと記す）の周側面にはＮ−Ｓ磁極が交互に図示のものは１６極に着磁してある関係から外側誘磁片Ｊ４は櫛歯状に複数設けられ磁石ロータＧの磁極と対向し、この外側誘磁片Ｊ４と磁気回路を構成する内側誘磁片Ｊ５は円筒状に形成されている。
【００３４】
外側誘磁片Ｊ４の数は磁石ロータＧの着磁分割数ｎの１／２（図示のものは８個）でその位置は円周方向に等間隔（３６０×２）／ｎ度位置（図示のものは４５度）に配置する。尚この外側誘磁片Ｊ４の数は必ずしも磁石ロータＧの磁極数ｎの１／２にすることなく、例えばその数を１つ或いはそれ以上減らしても良い。この場合、出力トルクは落ちるがその減じたスペースを他の部品の配置に利用できる。このように外側誘磁片Ｊ４の数を減らした場合も残りの外側誘磁片Ｊ４は円筒方向に（３６０×２）／ｎの関係位置に配置する必要がある。
【００３５】
それぞれ一体化されたロータ組とステータ組は地板Ａに次のように組み込まれる。地板Ａにはシャッタ羽根Ｂを取付ける平坦面（案内面Ａ１１側）の背面側に露光開口Ａ１と同一中心の環状フランジＡ１２（図５参照）が樹脂の一体成形で設けてある。この環状フランジＡ１２にステータ組を構成するヨークＪが嵌合固定される。このフランジＡ１２とヨークＪとは図示しないが接着剤若しくはビスなどで固定する。
【００３６】
そしてこのヨークＪにはコイルＩを巻回したコイルボビンＨがその底部Ｊ３に収容支持され接着剤などで固定されている。一方、駆動リングＦに一体化された磁石ロータＧには伝動ピンＦ１の端部に突起Ｆ３が設けられ、この突起先端がコイルボビンＨの平坦面に形成された支持面Ｈ２（ロータガイド面）に摺動可能に支持されている。従って磁石ロータＧはこれに形成された突起Ｆ３をステータに設けた支持面Ｈ２（ロータガイド面）に軸受されることによって回動自在に支持されている。この磁石ロータＧの駆動リングＦ側は地板Ａに形成した環状リブＡ１３で支持されている。従って、磁石ロータＧは地板Ａとステータとの間に軸受支持され回動自在に組み込まれることとなる。尚磁石ロータＧのガタつきを少なくする為には上記環状リブＡ１３と係合する駆動リングＦにＶ溝を形成するか、或いは突起Ｆ３が係合するコイルボビンＨの支持面Ｈ４にＶ溝を形成すれば良い。
【００３７】
このように組み合わされた状態で第１の駆動手段ＭＵ１は地板Ａに磁石ロータＧ、コイルＩの順に積層状に配置されることとなる。また地板Ａに取付けられた第１の駆動手段ＭＵ１は駆動リングＦに植設された伝動ピンＦ１が地板Ａのスリット孔Ａ３を貫通してシャッタ羽根Ｂ３のスリットＢ２に嵌合する。従って磁石ロータＧの回転は伝動ピンＦ１で各羽根部材に伝達されシャッタ羽根Ｂ３は支軸Ａ４を中心に回動し露光開口Ａ１を開閉することとなる。
【００３８】
次に第２の駆動手段ＭＵ２について説明すると、この駆動手段は円筒若しくは円柱形状の磁石Ｎ１と伝動アームＮ２とを一体化した磁石ロータＮと、コイルＭ及びこのコイルＭに生起した磁界を誘導する誘磁部材とを一体化したステータとから構成される。磁石ロータＮはプラスチックマグネットで伝動アームＮ２とこのアーム先端の係合ピンＮ３と回転軸Ｎ４とを一体に樹脂成形で形成されている。そして磁石Ｎ１は円柱状の周側面がＮ−Ｓ２極に着磁されている。一方、ステータは誘磁部材Ｋとリング状のコイルボビンＬとこのボビンに巻回されたコイルＭで構成される。誘磁部材ＫはコイルボビンＬを収納する底部と中心部に軸状の内側誘磁片Ｋ２と外周部に櫛歯状の外側誘磁片Ｋ３とを有する軟磁性材で円筒状に形成される。
【００３９】
コイルボビンＬは樹脂で側面にコイルＭを巻廻し、図示しないがコイルの線を結線する端子が一体に形成してある。そしてコイルを巻回したコイルボビンＬは誘磁部材Ｋの底部に収納し接着剤で一体に固定する。この励磁コイルＭは前述の第１の駆動手段ＭＵ１の励磁コイルＩより小さい出力トルクとなるように巻線が構成されている。また、このコイルを巻回したコイルボビンＬは磁石ロータＮの磁石Ｎ１とほぼ同一外径に形成され、磁石ロータＮとコイルＭとが上下に積層状に並ぶように構成される。図示Ｏはシールドヨークで磁石ロータＮの外周を覆うカップ形状に軟磁性材で形成してある。
【００４０】
そこでコイルＭを巻回したコイルボビンＬは誘磁部材Ｋ内部に収容され接着剤で一体化される。するとコイルＭに生起する磁界は内側誘磁片Ｋ２と外側誘磁片Ｋ３との間に誘導される。磁石ロータＮは外周側面にＮ−Ｓ２極が形成され、この磁極が外側誘磁片Ｋ３と対向し、これと直交する方向に伝動アームＮ２が位置するように磁石ロータＮの回転軸Ｎ４の一方を内側誘磁片Ｋ２に形成した軸受孔に嵌合する。一方回転軸Ｎ４の他方（図３下側）はシールドヨークＯに形成した軸受孔Ｏ２に嵌合する。そして外側誘磁片Ｋ３の先端をシールドヨークＯの係止孔Ｏ１に嵌合して固定する。
【００４１】
このように一体化されユニット化された第２の駆動手段ＭＵ２は地板Ａに設けた取付フックＡ６（図６参照）にステータ組の鍔部が嵌合固定される。尚この嵌合は取付フックＡ６の弾性変形によって着脱自在となる。このように構成された第２の駆動手段ＭＵ２の磁石ロータＮは一体に形成された伝動アームＮ２の係合ピンＮ３が地板Ａの逃げ溝Ａ７を貫通し、絞り羽根Ｄに形成したスリット孔Ｄ２と嵌合し、ロータの回転によって絞り羽根Ｄを支軸Ａ９を中心に回転する。
【００４２】
図４乃至図７は上記第１、第２の駆動手段ＭＵ１、ＭＵ２と基板（地板と押え板）との位置関係を示し、図４は平面図、図５はα−α断面、図６はβ−β断面、図７はγ−γ断面を示す。第１の駆動手段ＭＵ１は図５に示すように地板Ａの露光開口Ａ１と同一中心で磁石ロータＦが回動するように環状フランジＡ１２にヨークＪを介して取付けられる。そしてシャッタ羽根Ｂ（第１の光量調整羽根）の枚数に応じた伝動ピンＦ１から磁石ロータＮの回転は各羽根部材に伝達される。
【００４３】
一方、第２の駆動手段ＭＵ２は円盤形状の地板Ａから一部膨出したフランジ部Ａ５に取付けられ、磁石ロータＮの伝動アームＮ２は図示β−βの方向に位置する。このように取付けられた各駆動手段は図７に示すように第１の駆動手段ＭＵ１は地板Ａに磁石ロータＦ、励磁コイルＩの順に積層状に配置される。また第２の駆動手段ＭＵ２は地板Ａに励磁コイルＭ、磁石ロータＮの順に配置される。
【００４４】
このように第１、第２の駆動手段ＭＵ１、ＭＵ２は磁石ロータと励磁コイルとが略々同一外径のリング状若しくは円柱状に偏平な形状で構成され、磁石とコイルとは積層状に配置される。このとき地板Ａに対し第１、第２の駆動手段ＭＵ１、ＭＵ２はその一方が磁石、コイルの順に配置され、他方はコイル、磁石の順に配置されることとなる。従ってコイルに電流を供給して磁石ロータを回転しようとするときにこの磁石ロータの磁極を形成した周側面には他方の駆動装置のコイルが位置する為、同一の地板上に配置した２つの駆動手段は互いの磁石ロータが磁気的に干渉することがなく安定した駆動回転が得られる。
【図面の簡単な説明】
【００４５】
【図１】は絞り機能とシャッタ機能を備えた光量調整装置の光量調整ユニットの分解斜視図である。
【図２】はその光量調整装置に取付けられそのシャッタ機能を駆動する第１の駆動装置の分解斜視図である。
【図３】は同様に図１の光量調整装置に取付けられその絞り機能を駆動する第２の駆動装置の分解斜視図である。
【図４】図４は図１における光量調整装置の平面図である。
【図５】は図４のα−α断面図である。
【図６】は図４のβ−β断面図である。
【図７】は図４のγ−γ断面図である。
【図８】従来の絞り機能付きシャッタ装置である。
【図９】従来の駆動装置を用いたシャッタ装置である。
【図１０】図９と異なる従来の駆動装置を用いたシャッタ装置である。
【符号の説明】
【００４６】
ＥＵ  光量調整装置
Ａ  地板
Ｂ  シャッタ羽根（第１の光量調整部材）
Ｃ  中間板
Ｄ  絞り羽根（第２の光量調整部材）
Ｅ  押え板
ＭＵ１  第１の駆動手段
Ｆ  駆動リング（磁石ロータ）
Ｇ  マグネット
Ｈ  コイルボビン
Ｉ  コイル
Ｊ  ヨーク
ＭＵ２  第２の駆動手段
Ｋ  誘磁部材
Ｌ  コイルボビン
Ｍ  コイル
Ｎ  磁石ロータ
Ｏ  ヨーク
【図１】
2006023363.tif 000003
【図２】
2006023363.tif 000004
【図３】
2006023363.tif 000005
【図４】
2006023363.tif 000006
【図５】
2006023363.tif 000007
【図６】
2006023363.tif 000008
【図７】
2006023363.tif 000009
【図８】
2006023363.tif 000010
【図９】
2006023363.tif 000011
【図１０】
2006023363.tif 000012